(57)【特許請求の範囲】
【請求項１】
画像を表示する表示パネルと、
前記表示パネルの背面側から表示パネルに向かって光を放射し、前記表示パネルに沿ってマトリクス状に配置される複数の発光源と、
前記発光源が取り付けられる背面板と、
前記背面板に取り付けられ、前記発光源が差し込まれる挿入孔を有し、伸縮性があり、前記発光源から放射された光を反射する反射シートと、を備え、
前記背面板は、前記挿入孔に前記発光源が差し込まれた前記反射シートが取り付けられた状態で前記反射シートの一部を前記表示パネルに向かって半円筒形状に伸縮して膨出させる複数の矩形棒状の突出部を備える、
表示装置。
【請求項２】
前記背面板は、前記発光源に電力を供給するためのコネクタをさらに備え、
前記反射シートは、前記コネクタを覆う舌片部を形成する切り込み部を備える、
請求項１に記載の表示装置。
【請求項３】
前記背面板は、周縁部に、周縁端に向かうほど前記表示パネルに近づく傾斜部を備え、
前記反射シートは、前記傾斜部に貼り付けられる、
請求項１に記載の表示装置。
【請求項４】
前記背面板は、複数の前記発光源が取り付けられる配線基板をさらに備え、
前記反射シートは、前記発光源の近傍において前記配線基板に貼り付けられる、
請求項１に記載の表示装置。
【請求項５】
前記反射シートと前記配線基板とが貼り付けられる貼り付け部は、前記表示パネルの長手方向に延伸して形成される、
請求項４に記載の表示装置。
【発明の詳細な説明】
【技術分野】
【０００１】
本開示は、静止画や動画等の画像を表示する表示装置に関する。
【背景技術】
【０００２】
テレビジョンやコンピュータ用のモニタ等の表示装置として、液晶パネルや有機ＥＬ（Ｅｌｅｃｔｒｏ  Ｌｕｍｉｎｅｓｃｅｎｃｅ）ディスプレイパネル等の薄型の表示装置がある。
【０００３】
液晶表示装置は自発光しない表示装置である。したがって、液晶表示装置は、暗い場所等でもユーザが画像を認識できるように、表示装置が備える表示パネルの背面（ユーザと反対側）に発光源が配置され、表示パネルを透過した光がユーザに届くように構成されている。
【０００４】
このような構成の表示装置は、例えば、ＬＥＤ（Ｌｉｇｈｔ  Ｅｍｉｔｔｉｎｇ  Ｄｉｏｄｅ）等からなる点状の発光源（点光源）を、間隔を開けてマトリクス状に配置した構成を有する。そのため、その表示装置では、発光源から出射された後、表示パネルとは反対側に進行する光を、表示パネル側へ反射させるための反射シートを備える場合がある。
【０００５】
例えば特許文献１には、発光源が取り付けられる背面板に反射シートが取り付けられた表示装置が開示されている。この反射シートは、外周部が発光源の光出射側に立ち上がっている。
【０００６】
このような構成の表示装置では、表示パネルを透過する光に輝度むらが発生しないように、そして均一な光量で光が表示パネルを透過するように、表示パネルと発光源の間に、光を拡散する拡散板が配置される。また、この拡散板には、表示パネルを透過する光量の均一性を確保するために、光の透過量が相対的に多い（明るい）領域に印刷を施して光の透過量を制限することがある。
【先行技術文献】
【特許文献】
【０００７】
【特許文献１】特開２０１３−１４３２１８号公報
【発明の概要】
【０００８】
拡散板に印刷を施して光の透過量を制限することは、表示パネルの輝度を低下させた状態で光量の均一性を確保することになり、エネルギー的に無駄が発生する。また、製造工程において印刷を行う工程が必要となり、表示装置を製造する工程が煩雑となる。
【０００９】
本開示は、表示パネルの輝度を高い状態に維持したままで表示パネルの輝度むらを抑制することができる、発光効率のよい表示装置を提供する。
【００１０】
本開示における表示装置は、画像を表示する表示パネルと、複数の発光源と、発光源が取り付けられる背面板と、反射シートと、を備える。複数の発光源は、表示パネルの背面側から表示パネルに向かって光を放射し、表示パネルに沿ってマトリクス状に配置される。反射シートは、背面板に取り付けられ、発光源が差し込まれる挿入孔を有し、発光源から放射された光を反射する。そして、背面板は、反射シートが取り付けられた状態で反射シートの一部を表示パネルに向かって膨出させる複数の突出部を備える。
【００１１】
本開示における表示装置は、高い輝度を確保しつつ輝度むらを低減することができる。
【図面の簡単な説明】
【００１２】
【図１】図１は、実施の形態１における表示装置の外観の一例を模式的に示す斜視図である。
【図２】図２は、実施の形態１における表示装置の構造の一例を模式的に示す分解斜視図である。
【図３】図３は、実施の形態１における発光モジュールの一例を模式的に示す斜視図である。
【図４】図４は、実施の形態１における反射シートの一例を模式的に示す斜視図である。
【図５】図５は、実施の形態１における背面板および突出部の一例を模式的に示す斜視図である。
【図６】図６は、実施の形態１における反射シートを貼り付ける前の背面板の一例を模式的に示す斜視図である。
【図７】図７は、実施の形態１における反射シートを貼り付ける前の背面板の断面図である。
【図８】図８は、実施の形態１における反射シートが貼り付けられた背面板の断面図である。
【図９】図９は、実施の形態１における反射シートが貼り付けられた背面板の断面図である。
【発明を実施するための形態】
【００１３】
以下の実施の形態は、本開示に係る表示装置の一例を示したものに過ぎない。したがって、本開示は、以下の実施の形態のみに限定されるものではない。
【００１４】
また、図面は、本開示を示すために適宜強調や省略、比率の調整等を行った模式的な図となっており、実際の形状や位置関係、比率とは異なる場合がある。
【００１５】
また、各図において、実質的に同一の構成要素に対しては同一の符号を付与している。
【００１６】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略または簡略化する場合がある。これは、以下の説明が不必要に冗長になるのを避け、当業者の理解を容易にするためである。
【００１７】
なお、添付図面および以下の説明は、当業者が本開示を十分に理解するために提供されるのであって、これらにより特許請求の範囲に記載の主題を限定することは意図されていない。
【００１８】
（実施の形態１）
［１−１．表示装置の構成の概要］
図１は、実施の形態１における表示装置１００の外観の一例を模式的に示す斜視図である。
【００１９】
図２は、実施の形態１における表示装置１００の構造の一例を模式的に示す分解斜視図である。
【００２０】
なお、これらの図は、表示装置１００の概略構成を模式的に示したものであり、細部は省略されている。
【００２１】
なお、以下では、必要に応じて、ＸＹＺ軸を用いて説明を行う。本実施の形態では、便宜的に、表示装置１００の長手方向に平行（実質的に平行）な方向をＸ軸とし、表示装置１００の短手方向に平行（実質的に平行）な方向をＹ軸とし、Ｘ軸およびＹ軸の双方に直交する方向をＺ軸とする。また、ＸＺ平面に対して鉛直方向、すなわちＹ軸方向が重力方向であり、通常の使用状況下では、表示装置１００は、ＸＺ平面に平行（実質的に平行）な設置面に設置されるものとする。また、表示装置１００を視聴するユーザ（図示せず）に正対する側を「正面」とし、正面の反対側を「背面」とし、設置面に対してＹ軸方向に相対的に遠い方を「上」とし、設置面に対してＹ軸方向に相対的に近い方を「下」とする。なお、これらの方向は便宜的に示す相対的なものであり、絶対的なものではない。
【００２２】
表示装置１００は、枠体１０１と、前面部材１０２と、表示パネル１０３と、発光ユニット１４０と、突出部１０７と、背面板１０８と、背面カバー１０９と、を備える。
【００２３】
本実施の形態に示す表示装置１００は、例えば、受信した放送波等から得られる映像および音声を出力するテレビジョンであり、内部に回路基板（図示せず）等を備えている。なお、テレビジョンとしての構成は、一般に知られた構成と実質的に同じであるので、説明を省略する。
【００２４】
枠体１０１、前面部材１０２、および、背面カバー１０９は、表示パネル１０３や発光ユニット１４０等を覆う部材である。枠体１０１は、表示パネル１０３等の外周を保護する部材である。前面部材１０２は、表示パネル１０３の前面を覆う透明な部材である。背面カバー１０９は、表示パネル１０３等の背面を保護する部材である。
【００２５】
表示パネル１０３は、入力された映像信号に基づき画像を表示する装置である。画像には、静止画および動画等が含まれ、文字や記号等も画像に含まれる。本実施の形態に示す表示パネル１０３は、液晶表示パネルである。また、表示パネル１０３の厚みは、例えば、１ｍｍ〜３ｍｍ程度である。なお、本開示において表示パネル１０３の種類は特に限定されない。表示パネル１０３は、画像を表示する際に、表示パネル１０３を透過する光が必要なものであればよい。
【００２６】
［１−１−１．発光ユニット］
発光ユニット１４０は、表示パネル１０３の背面に実質的に輝度が均一な光を放射するための部材であり、一般的に「バックライト」等と呼称される。発光ユニット１４０は、拡散板１０４と、反射シート１０５と、発光モジュール１０６と、を備えている。
【００２７】
図３は、実施の形態１における発光モジュール１０６の一例を模式的に示す斜視図である。
【００２８】
図３に示すように、発光モジュール１０６は、表示装置１００が備える複数の発光源１６１の内の複数個を配線基板１６２に取り付けたものである。発光モジュール１０６は、背面板１０８に対して発光源１６１を容易に配置できるようにするためのものである。例えば図３に示すように発光モジュール１０６を配置することで、表示パネル１０３に沿ってマトリクス状に発光源１６１を配置することができる。
【００２９】
配線基板１６２は、電線１６４を接続するためのコネクタ１６３を備えている。また、配線基板１６２は、コネクタ１６３と発光源１６１とを電気的に接続する導電部材（例えば、プリント配線）を備えている。配線基板１６２では、コネクタ１６３に接続された電線１６４から供給される電力が、配線基板１６２に取り付けられた発光源１６１に供給される。これにより、配線基板１６２に取り付けられた発光源１６１が点灯する。
【００３０】
また、配線基板１６２が有する複数の面のうち、発光源１６１が取り付けられている側の面には、配線基板１６２の本体よりも光の反射率の高い層が備えられている。本実施の形態の配線基板１６２は、光の反射率の高い層として、例えば、白色のレジスト膜を備えている。この構成によれば、例えば、反射シート１０５（図２参照）に設けられた挿入孔（後述）の孔径が発光源１６１の外形よりも大きく、反射シート１０５の背面側に配置された配線基板１６２の一部が挿入孔を通して見えるような場合でも、配線基板１６２の表面における光の反射率が高いため、表示パネル１０３において輝度むらの発生を抑制することが可能となる。
【００３１】
発光源１６１は、表示パネル１０３に沿って（図３に示すＸ軸およびＹ軸に沿って）マトリクス状に配置される。発光源１６１は、表示パネル１０３の背面側から表示パネル１０３に向かって光を放射する部品である。本開示では、発光源１６１の種類は特に限定されないが、発光源１６１として、例えば、青色発光ダイオードと黄色を発光する蛍光物質とが組み合わされた、白色光を放射することができる白色ＬＥＤ、等を例示することができる。
【００３２】
拡散板１０４は、複数の発光モジュール１０６の複数の発光源１６１（点光源）から放射される光を拡散する部材である。例えば拡散板１０４は、入射した光を実質的に全方位に拡散し、出射光の輝度の視角依存性を低減させ、出射する光の輝度を実質的に均一化するものである。具体的な一例を挙げると、拡散板１０４は、両面または片面のみに細かな凹凸を有する板状の透明な部材である。また、拡散板１０４の内部には、反射率の高い微粒子が分散して配置されていてもよい。また、拡散板１０４は、細かな凹凸を備えたフィルムを複数層重ね合わせたものでもよい。
【００３３】
［１−１−２．反射シート］
図４は、実施の形態１における反射シート１０５の一例を模式的に示す斜視図である。図４には、背面板１０８に取り付ける前の反射シート１０５を示す。
【００３４】
反射シート１０５は、発光源１６１から放射された光を表示パネル１０３に向かって反射する部材である。反射シート１０５は、図４に示すように、発光源１６１が差し込まれる挿入孔１５１を有する。反射シート１０５において、各挿入孔１５１は、背面板１０８に配置された発光源１６１に対応する位置に形成されている。なお、発光源１６１を挿入孔１５１に容易に挿通できるようにするために、挿入孔１５１の径は、発光源１６１の外形よりも大きく設定されてもよい。
【００３５】
本開示において、反射シート１０５の材質は特に限定されないが、反射シート１０５として、例えば、光の反射性に優れた白色のＰＥＴ（ポリエチレンテレフタレート）等の合成樹脂製のシート状部材を例示することができる。また、反射シート１０５は、突出部１０７（図２、図５参照）により一部が押し出されることにより膨出（変形）することができる柔軟性（伸縮性）を備えている。
【００３６】
また、反射シート１０５は、図４に示すように、配線基板１６２に設けられたコネクタ１６３に対応する位置に、切り込み部１５２を有する。切り込み部１５２は、反射シート１０５にＨ字状の切れ目を入れて設けられており、反射シート１０５の一部が切れ目に沿って立ち上がるように形成されている。切り込み部１５２は、コネクタ１６３が切り込み部１５２に挿入されることで切り込み部１５２の上部が立ち上がり、電線１６４によって切り込み部１５２の下部が立ち上がる構造を有する。この構造により、反射シート１０５の立ち上がった部分が、コネクタ１６３の少なくとも一部を覆う。また、反射シート１０５の立ち上がった部分が、電線１６４の少なくとも一部を、しわ等の発生が低減された状態で、覆う。
【００３７】
このように、本実施の形態では、反射シート１０５の、コネクタ１６３に対応する部分に切り込み部１５２を設ける。こうすることで、配線基板１６２から突出しているコネクタ１６３により、反射シート１０５の一部が表示パネル１０３に向かって膨出する。これにより、表示パネル１０３に照射する光に輝度むらが発生することを防止できる。また、コネクタ１６３に対応する切り込み部１５２を反射シート１０５に設けることにより、コネクタ１６３が反射シート１０５の表面に露出することを抑制し、コネクタ１６３により発生する輝度むらを防止することもできる。これは、コネクタ１６３に接続される電線１６４についても同様である。
【００３８】
［１−１−３．背面板］
図５は、実施の形態１における背面板１０８および突出部１０７の一例を模式的に示す斜視図である。
【００３９】
背面板１０８は、表示パネル１０３を保持する板状の部材であり、図２に示したように、表示パネル１０３の背面（Ｚ軸の負方向側の面）側に配置される。また、背面板１０８は、表示パネル１０３と背面板１０８との間に発光ユニット１４０を保持し、背面板１０８の背面に回路基板（図示せず）等を保持する。背面板１０８は、例えば、一般に「シャーシ」と呼ばれる金属の板材を用いて形成される。また、背面板１０８には、構造的強度の向上等のために、プレス加工等により凹凸が設けられている。
【００４０】
本実施の形態に示す背面板１０８は、背面板１０８の長手方向（Ｘ軸方向）に伸長して設けられた凹部１８１を備える。凹部１８１には、配線基板１６２が載置される。さらに、背面板１０８には、ネジ止めのためのボス等が取り付けられる場合がある。また、背面板１０８は、表示パネル１０３の背面の全面（または、ほぼ全面）を覆うように配置され、表示パネル１０３で発生した熱を放熱する機能を有する場合もある。
【００４１】
［１−１−４．突出部］
突出部１０７は、図５に示すように、背面板１０８に取り付けられる矩形棒状の部材である。突出部１０７は、背面板１０８に取り付けられることで、反射シート１０５の一部を表示パネル１０３側に向かって膨出させる。本実施の形態では、突出部１０７は、背面板１０８における反射シート１０５の取り付け面（配線基板１６２の表示パネル１０３側の表面とほぼ同じ高さの面）に、表示パネル１０３側に向かって突出するように貼り付けられる。突出部１０７は、発光源１６１の間（中央位置）に配置されており、発光モジュール１０６の延伸方向に沿って延伸している。
【００４２】
［１−２．反射シートの貼り付け方法］
次に、反射シート１０５の貼り付け方法を説明する。
【００４３】
図６は、実施の形態１における反射シート１０５を貼り付ける前の背面板１０８の一例を模式的に示す斜視図である。図６には、発光モジュール１０６および突出部１０７が取り付けられた背面板１０８を示す。
【００４４】
図７は、実施の形態１における反射シート１０５を貼り付ける前の背面板１０８の断面図である。図７には、図６のＶＩＩ−ＶＩＩ線に示す断面図の一部を示す。
【００４５】
図６、図７に示すように、発光モジュール１０６は、背面板１０８の凹部１８１に配線基板１６２が嵌め込まれた状態で背面板１０８に配置されている。そして、配線基板１６２の表示パネル１０３側の面と、背面板１０８の突出部１０７の取り付け面とは、ほぼ同一平面となっている。当該状態で、発光源１６１は、背面板１０８に対しマトリクス状に配置されている。
【００４６】
また、背面板１０８には、反射シート１０５を貼り付けるための貼付部材１７１が取り付けられている。貼付部材１７１は、例えば帯状の両面テープである。しかし、貼付部材１７１は何ら両面テープに限定されない。貼付部材１７１は、反射シート１０５を貼り付けることができる部材であればよい。貼付部材１７１は、背面板１０８の長手方向（図中Ｘ軸方向）のほぼ全体にわたって延伸した状態で背面板１０８に貼り付けられている。このように、貼付部材１７１を背面板１０８の長手方向に沿って配置することで、背面板１０８や貼り付け後の反射シート１０５が熱により伸縮（以下、「熱伸縮」ともいう）した場合に、貼付部材１７１や反射シート１０５が背面板１０８から剥がれる可能性を低減することができる。
【００４７】
また、貼付部材１７１は、発光源１６１の近傍にも設けられている。これにより、背面板１０８や貼り付け後の反射シート１０５が熱伸縮した場合に、発光源１６１が配線基板１６２に対してずれたり、脱落したりする現象の発生を抑制することができる。
【００４８】
また、貼付部材１７１の一部は、配線基板１６２と背面板１０８とに跨がって取り付けられている。これにより、配線基板１６２が熱伸縮した場合に、貼付部材１７１が剥がれる可能性を低減することができる。
【００４９】
また、貼付部材１７１は、背面板１０８の周縁に存在する傾斜部１８２にも取り付けられている。傾斜部１８２とは、周縁端に向かうほど表示パネル１０３に近づくように形成された背面板１０８の周縁部分である。つまり、傾斜部１８２とは、表示パネル１０３に近づくに従い開口面積が大きくなるように形成された背面板１０８の周縁部分である。これにより、反射シート１０５の周縁部が傾斜部１８２に貼り付けられて固定されるため、貼り付け後の反射シート１０５の形状を安定させることができ、表示パネル１０３に放射される光の輝度のばらつきを抑制することが可能となる。
【００５０】
図８は、実施の形態１における反射シート１０５が貼り付けられた背面板１０８の断面図である。図８は、図７に示す断面図に反射シート１０５が貼り付けられた状態を示す。
【００５１】
図８に示すように、反射シート１０５は、挿入孔１５１に発光源１６１を挿通した状態で、配線基板１６２および背面板１０８に、貼付部材１７１によって貼り付けられる。この際、突出部１０７は、貼付部材１７１が取り付けられている面よりも表示パネル１０３側に突出しているため、反射シート１０５は、自身の伸縮性により、一部が表示パネル１０３に向かって膨出する。こうして、反射シート１０５に膨出部１５３が形成される。突出部１０７は、発光源１６１と発光源１６１との間に、背面板１０８の長手方向に沿って配置されている。したがって、本実施の形態において、反射シート１０５の膨出部１５３は、背面板１０８の長手方向に沿って延伸し、表示パネル１０３側に半円筒形状で膨出する。
【００５２】
膨出部１５３を設けなかった場合、表示パネル１０３に向かって放射する光に暗い領域が発生することがある。しかし、このように、発光源１６１と発光源１６１との間に反射シート１０５の膨出部１５３を設けることで、膨出部１５３を設けなかった場合に発生する暗い領域の輝度を高めることができる。これにより、本実施の形態に示す表示装置１００では、表示パネル１０３に放射する光の輝度を、輝度が高い状態で実質的に均一化することができる。
【００５３】
図９は、実施の形態１における反射シート１０５が貼り付けられた背面板１０８の断面図である。図９には、図６のコネクタ１６３を通過するＩＸ−ＩＸ線に示す断面図（ただし、反射シート１０５が貼り付けられた状態の断面図）の一部を示す。
【００５４】
図９に示すように、反射シート１０５を背面板１０８に取り付けた状態では、反射シート１０５のコネクタ１６３に対応する位置に設けた切り込み部１５２により形成される舌片部１５４によりコネクタ１６３は覆われる。また、コネクタ１６３に接続される電線１６４も舌片部１５４により覆われる。
【００５５】
コネクタ１６３および電線１６４が反射シート１０５の表面に露出した場合、表示パネル１０３に向かって放射する光のうち、コネクタ１６３が取り付けられた位置に、暗い領域が発生することがある。しかし、コネクタ１６３および電線１６４が舌片部１５４で覆われることにより、コネクタ１６３が取り付けられた位置に発生する暗い領域の輝度を高めることができる。これにより、本実施の形態に示す表示装置１００では、表示パネル１０３に放射する光の輝度を、輝度が高い状態で実質的に均一化することができる。
【００５６】
［１−３．効果等］
以上のように、本実施の形態において、表示装置は、画像を表示する表示パネルと、複数の発光源と、発光源が取り付けられる背面板と、反射シートと、を備える。複数の発光源は、表示パネルの背面側から表示パネルに向かって光を放射し、表示パネルに沿ってマトリクス状に配置される。反射シートは、背面板に取り付けられ、発光源が差し込まれる挿入孔を有し、発光源から放射された光を反射する。そして、背面板は、反射シートが取り付けられた状態で反射シートの一部を表示パネルに向かって膨出させる複数の突出部を備える。
【００５７】
なお、表示装置１００は表示装置の一例である。表示パネル１０３は表示パネルの一例である。発光源１６１は発光源の一例である。背面板１０８は背面板の一例である。反射シート１０５は反射シートの一例である。挿入孔１５１は挿入孔の一例である。突出部１０７は突出部の一例である。
【００５８】
表示装置１００では、突出部１０７による膨出部１５３が反射シート１０５に形成されない場合、表示パネル１０３に向かって放射する光に暗い領域が発生する可能性がある。しかし、例えば実施の形態１に例示した表示装置１００では、突出部１０７により反射シート１０５に膨出部１５３が形成されるので、表示パネル１０３に向かって放射する光に発生する可能性がある暗い領域の輝度を高めることができる。これにより、表示パネル１０３に放射する光の輝度を、輝度が高い状態で実質的に均一化することができる。
【００５９】
本実施の形態の表示装置において、背面板は、発光源に電力を供給するためのコネクタをさらに備えてもよく、反射シートは、コネクタを覆う舌片部を形成する切り込み部を備えてもよい。
【００６０】
なお、コネクタ１６３はコネクタの一例である。舌片部１５４は舌片部の一例である。切り込み部１５２は切り込み部の一例である。
【００６１】
表示装置１００では、舌片部１５４によってコネクタ１６３が覆われない場合、表示パネル１０３に向かって放射する光のうち、コネクタ１６３が取り付けられた位置に、暗い領域が発生する可能性がある。しかし、例えば実施の形態１に例示した表示装置１００では、反射シート１０５に切り込み部を備えることで、コネクタ１６３が舌片部１５４で覆われる。これにより、表示装置１００では、表示パネル１０３に向かって放射する光のうち、コネクタ１６３が取り付けられた位置に発生するおそれがある暗い領域の輝度を高めることができ、表示パネル１０３に放射する光の輝度を、輝度が高い状態で実質的に均一化することができる。
【００６２】
本実施の形態の表示装置において、背面板は、周縁部に、周縁端に向かうほど表示パネルに近づく傾斜部を備えてもよく、反射シートは、傾斜部に貼り付けられてもよい。
【００６３】
なお、傾斜部１８２は傾斜部の一例である。
【００６４】
これにより、例えば実施の形態１に例示した表示装置１００では、反射シート１０５の周縁部が傾斜部１８２に貼り付けられて固定されるため、貼り付け後の反射シート１０５の形状を安定させることができ、表示パネル１０３に放射される光の輝度のばらつきを抑制することが可能となる。
【００６５】
本実施の形態の表示装置において、背面板は、複数の発光源が取り付けられる配線基板をさらに備えてもよく、反射シートは、発光源の近傍において配線基板に貼り付けられてもよい。
【００６６】
なお、配線基板１６２は配線基板の一例である。
【００６７】
これにより、例えば実施の形態１に例示した表示装置１００では、発光源１６１を、例えばマトリクス状に、背面板１０８に容易に配置することができる。そして、背面板１０８や反射シート１０５が熱伸縮した場合に、発光源１６１が配線基板１６２に対してずれたり、脱落したりする可能性を低減することができる。
【００６８】
本実施の形態の表示装置において、反射シートと配線基板とが貼り付けられる貼り付け部は、表示パネルの長手方向に延伸して形成されてもよい。
【００６９】
なお、貼付部材１７１は貼り付け部の一例である。
【００７０】
例えば、実施の形態１に例示した表示装置１００では、貼付部材１７１を背面板１０８の長手方向に沿って配置している。これにより、背面板１０８や反射シート１０５が熱伸縮した場合に、貼付部材１７１や反射シート１０５が背面板１０８から剥がれる可能性を低減することができる。
【００７１】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【００７２】
そこで、以下、他の実施の形態を例示する。
【００７３】
実施の形態１では、突出部１０７を、背面板１０８とは別部材として説明した。しかし、突出部１０７と背面板１０８とは一体であってもよい。
【００７４】
貼付部材１７１は、両面テープに限定されない。貼付部材１７１は、塗布するタイプの接着剤等でもよい。また、貼付部材１７１の貼り付け方向は任意の方向でもよい。例えば、背面板１０８の短手方向に沿って貼付部材１７１を設けてもよい。
【００７５】
また、配線基板１６２に貼付部材１７１を設ける位置を示す目印をスクリーン印刷等により設けてもよい。
【００７６】
突出部１０７は、線状に突出するものに限定されない。突出部１０７は、点状に突出してもよい。突出部１０７が点状に突出する場合、反射シート１０５の膨出部１５３の形状はドーム状であってもよい。
【００７７】
以上のように、本開示における技術の例示として、実施の形態を説明した。そのために、添付図面および詳細な説明を提供した。
【００７８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７９】
また、上述の実施の形態は、本開示における技術を例示するためのものであるから、特許請求の範囲またはその均等の範囲において種々の変更、置き換え、付加、省略などを行うことができる。
【産業上の利用可能性】
【００８０】
本開示は、バックライトを用いて画像や文字、動画等を表示する表示装置に適用可能である。具体的には、テレビ、モニタ表示、デジタルサイネージ、携帯端末、タブレット端末、またはテーブル型表示装置、等の電子機器に、本開示は適用可能である。
【符号の説明】
【００８１】
１００    表示装置
１０１    枠体
１０２    前面部材
１０３    表示パネル
１０４    拡散板
１０５    反射シート
１０６    発光モジュール
１０７    突出部
１０８    背面板
１０９    背面カバー
１４０    発光ユニット
１５１    挿入孔
１５２    切り込み部
１５３    膨出部
１５４    舌片部
１６１    発光源
１６２    配線基板
１６３    コネクタ
１６４    電線
１７１    貼付部材
１８１    凹部
１８２    傾斜部
【図１】
0006589145.tif 000002
【図２】
0006589145.tif 000003
【図３】
0006589145.tif 000004
【図４】
0006589145.tif 000005
【図５】
0006589145.tif 000006
【図６】
0006589145.tif 000007
【図７】
0006589145.tif 000008
【図８】
0006589145.tif 000009
【図９】
0006589145.tif 000010